(57)【要約】【課題】靴の底面ばかりでなく、左右の下部側面及び靴の前部周囲面に付着した多量の泥でも取り除き易く、取り除いた泥を用具上に付着し難くして、手による運搬等の取り扱いを簡単に行えるようにする。【解決手段】網状の泥落とし用基部５と、その基部５の左右に夫々配設し、一体に結合して立ち上げた網状の左右泥落とし用側部６とを有する靴乗せ部２を、泥落とし本体にする。そして、その靴乗せ部２に脚部７を設けて台状に支持する。又、その靴乗せ部２の前端部に泥落とし用ブラシ５を固着し、その泥落とし用ブラシ５として、靴乗せ部２に乗せた靴の前部が抜き差し自在に嵌まる中央穴１８を有するリング状のブラシを用いる。【選択図】  図１
2008272281.tif 000002
【特許請求の範囲】
【請求項１】
網状の泥落とし用基部と、その基部の左右に夫々配設し、一体に結合して立ち上げた網状の左右泥落とし用側部とを有する靴乗せ部を、泥落とし本体にし、その靴乗せ部に脚部を設けて台状に支持し、その靴乗せ部の前端部に泥落とし用ブラシを固着し、その泥落とし用ブラシとして、靴乗せ部に乗せた靴の前部が抜き差し自在に嵌まる中央穴を有するリング状のブラシを用いることを特徴とする靴泥落とし具。
【請求項２】
靴乗せ部の左右の各泥落とし用側部付近に脚部を夫々設け、その脚部をいずれも靴乗せ部に上部が結合する立ち上がり部と、その立ち上がり部の下端部と一体に結合し、大略水平方向に突出する踏み部とから構成し、その靴乗せ部より左脚部の踏み部を左方向に突設し、右脚部の踏み部を右方向に突設することを特徴とする請求項１記載の靴泥落とし具。
【請求項３】
左右の各踏み部を夫々網状にして泥落とし用踏み部にすることを特徴とする請求項２記載の靴泥落とし具。
【請求項４】
網状の各泥落とし部に靴に向って突出する泥落とし用突部を夫々設けることを特徴とする請求項１、２又は３記載の靴泥落とし具。
【発明の詳細な説明】
【技術分野】
【０００１】
本発明は、長靴等に付着した泥を、履いたまま靴をこすって落とすのに好適な靴泥落とし具に関する。
【背景技術】
【０００２】
従来、工事現場での作業や農作業等をする際、雨天が続いたりすると、地面がぬかるみとなって履いている長靴等に泥が多量に付着し易い。しかし、靴に付着した泥をそのままにしておくと足が重くなって作業し難いばかりでなく、危険でもある。そこで、作業中に時々近くに生えている草等に履いたまま靴をこすり付けて泥を落とし、作業を続行している。
【０００３】
又、靴の泥を建物に持ち込まないようにするため、通常は建物の入口等にマットを敷いて、そこに靴の底面に付着した泥をこすり付けて取り除いている。
【特許文献１】特開平６−１６７０３９
【特許文献２】特開平９−２８５４３８
【発明の開示】
【発明が解決しようとする課題】
【０００４】
しかしながら、マットは平面状であり靴の底面に付着した泥はこすって取り除けても、靴の左右の下部側面に付着した泥は取り除き難い。しかも、マットでは多量に付着した泥を取り除き難く、取り除いた泥がマット上に残ってしまう。又、マットは平面状であるため、全体に泥が付着し易く、手が汚れるので運搬し難く取り扱い難い。
【０００５】
本発明は、このような従来の問題点に着目してなされたものであり、靴の底面ばかりでなく、左右の下部側面及び靴の前部周囲面に付着した多量の泥でも取り除き易く、取り除いた泥が用具上に付着し難くて、手による運搬等の取り扱いが簡単な靴泥落とし具を提供することを目的とする。
【課題を解決するための手段】
【０００６】
上記目的を達成するために、本発明による靴泥落とし具は、網状の泥落とし用基部と、その基部の左右に夫々配設し、一体に結合して立ち上げた網状の左右泥落とし用側部とを有する靴乗せ部を、泥落とし本体にし、その靴乗せ部に脚部を設けて台状に支持する。そして、その靴乗せ部の前端部に泥落とし用ブラシを固着し、その泥落とし用ブラシとして、靴乗せ部に乗せた靴の前部が抜き差し自在に嵌まる中央穴を有するリング状のブラシを用いる。
【０００７】
又、上記靴乗せ部の左右の各泥落とし用側部付近に脚部を夫々設け、その脚部をいずれも靴乗せ部に上部が結合する立ち上がり部と、その立ち上がり部の下端部と一体に結合し、大略水平方向に突出する踏み部とから構成し、その靴乗せ部より左脚部の踏み部を左方向に突設し、右脚部の踏み部を右方向に突設すると好ましくなる。
【０００８】
又、上記各踏み部を夫々網状にして泥落とし用踏み部にするとよい。
又、上記網状の各泥落とし部に靴に向って突出する泥落とし用突部を夫々設けるとよい。
【発明の効果】
【０００９】
本発明による靴泥落とし具は、靴乗せ部を網状の基部と左右側部とから構成し、その靴乗せ部に脚部を設けて台状に支持することにより、その泥落とし具を使用時に地面等に置くと、靴乗せ部を地面より高く支持できる。そして、靴乗せ部上に片方の靴を履いたまま乗せて、靴を前後動させると、網状の基部と左右側部からなる各泥落とし部に適宜こすり付けて靴の底面や左右の下部側面に付着した泥を順次こすり取り、各網目を通して落下させることができる。それ故、靴に付着した泥が多量でも取り除き易く、取り除いた泥が靴乗せ部上に付着し難く、使用後に手で持って運搬する等の取り扱いを簡単に行える。
【００１０】
又、靴乗せ部の前端部に、その靴乗せ部上に乗せた靴の前部が抜き差し自在に嵌まる中央穴を有するリング状の泥落とし用ブラシを固着することにより、靴を前後動させる際に、靴の前部の周囲面を適宜ブラシ全体に配置されている対応位置にある多数の毛にこすり付けて、靴の底面、左右の下部側面、上面等に付着した泥を順次こすり取って、落下させることができる。それ故、靴の前部に付着した泥を特に良好に取り除くことができる。又、靴の方向を反対に向けて靴乗せ部上に乗せ、ブラシにこすり付けると、靴の後部に付着した泥をこすり取って、良好に取り除くことができる。
【００１１】
又、靴乗せ部の左右の各泥落とし側部付近に脚部を夫々設け、その靴乗せ部より左脚部の立ち上がり部の下端部に結合した踏み部を左方向に突設し、右脚部の立ち上がり部の下端部に結合した踏み部を右方向に突設することにより、使用時に片方の靴例えば右側の靴で右踏み部を踏んで泥落とし具を強固に固定できる。そして、左側の靴を靴乗せ部上に乗せて前後動させると、泥を良好に取り除くことができる。又、左側の靴で左踏み部を踏んで泥落とし具を強固に固定した後、右側の靴を靴乗せ部上に乗せて同様にして泥を良好に取り除くことができる。
【００１２】
又、左右の各踏み部を夫々網状にして泥落とし用踏み部にすることにより、その各踏み部を泥落としに使用でき、そこに夫々こすり付けると、簡単な泥落としを行える。
【００１３】
又、網状の各泥落とし部に、靴に向って突出する泥落とし用突部を夫々設けることにより、靴を各泥落とし部にこすり付けた時、そこに設けられている各泥落とし用突部によって泥を簡単にこすり取ることができる。それ故、靴に付着している泥の付着力が大きくても、その泥を良好に取り除くことができる。
【発明を実施するための最良の形態】
【００１４】
以下、添付の図１〜８を参照して、本発明の実施の最良形態を説明する。
図１は本発明を適用した第１実施形態による靴泥落とし具の斜視図、図２はその正面図、図３は背面図、及び図４は平面図である。この靴泥落とし具１は、泥の付着した靴を履いたまま乗せる靴乗せ部２を泥落とし本体にする。そこで、靴乗せ部２の部材として、例えば９本の縦線３と５本の横線４とが直交した長方形状の金属網を用い、その長方形金属網の中央部を基部５とし、その基部５に対し左右の各長方形状側部６（６ａ、６ｂ）を夫々屈曲させて立ち上げる。すると、網状の泥落とし用基部５と、その基部５の左右に夫々配設し、一体に結合して立ち上げた網状の左右の各泥落とし用側部６とを有する靴乗せ部２を製作できる。その際、長方形状の泥落とし用基部５の寸法を、例えばその長さが大型長靴の底の長さの３分の２程で、その幅が靴底の幅より少し広くなるように設定する。なお、左右の泥落とし用側部は上部に行く程両者の間隔を若干広くして夫々傾斜させる。
【００１５】
このような靴乗せ部２に左右の各脚部７（７ａ、７ｂ）を夫々設け、泥落とし用基部５を水平に配置して靴乗せ部を台状に支持する。その際、左右の各脚部７を製作するため、靴乗せ部２を構成する縦横線３、４より太くて強度の大きな金属線を１本用いる。すると、その金属線を図５に示すように屈曲させて両端を結合し、靴乗せ部２を支持する支持用屈曲体８を形成できる。そこで、靴乗せ部２の前後端部を支持用屈曲体８の前後線のＵ字状に屈曲した広い中央部９（９ａ、９ｂ）に夫々固着する。
【００１６】
このようにして、靴乗せ部２の左右の各泥落とし用側部付近に脚部７を夫々設けると、その脚部７をいずれも靴乗せ部２に上部が結合し、大略垂直方向に突出する立ち上がり部１０（１０ａ、１０ｂ）と、その立ち上がり部１０の下端部と一体に結合し、大略水平方向に突出する踏み部１１（１１ａ、１１ｂ）とから構成し、その靴乗せ部２より左脚部７ａの踏み部１１ａを左方向に突設し、右脚部７ｂの踏み部１１ｂを右方向に突設することができる。その際、左右の各踏み部１１の左右端部１２(１２ａ、１２ｂ)を屈曲させて上方に少し立ち上げる。なお、１３（１３ａ、１３ｂ）は靴乗せ部２の左右の各泥落とし用側部６と左右の脚部７を補強するため、結合した２本の線が十文字状に交差結合する補強線である。又、１４（１４ａ、１４ｂ）は運搬時等に泥落とし具１をつまんで持ち上げるため、支持用屈曲体８の後線中央部９ｂの左右端最上部に夫々設けたつまみ部である。
【００１７】
又、このような左右脚部７付きの靴乗せ部２に対し、その靴乗せ部２の前端部と、その前端部に結合した支持用屈曲体８の前線中央部９ａとに泥落とし用ブラシ１５を固着する。その際、泥落とし用ブラシ１５を製作するため、例えば１本の金属製芯線１６を順々に捩って多数のプラスチック製剛毛１７を均等に挟んで植え付けブラシ状に形成した後、全体をリング状に屈曲させて両端を結合し、中央穴１８を有するブラシにする。しかも、そのリング状ブラシ１５の中央穴１８を靴の前部（足の爪先側を覆う部分）がその穴内に抜き差し自在に嵌まる大きさにする。すると、靴乗せ部２の前端部等に対し、泥落とし用ブラシ１５の下側部を靴乗せ部２に乗せた長靴の前部が抜き差し自在に嵌まるように、中央穴１８の軸線を水平に位置決めして固着でき、靴泥落とし具１が完成する。
【００１８】
使用時、靴に付着した泥を取り除くため、泥落とし具１を地面等に置く。すると、靴乗せ部２を地面より高く例えば５ｃｍ程の高さに支持できる。そこで、片方の靴、例えば図６に示すような左側の右足で履いた長靴１９ａで左踏み部１１ａを踏んで泥落とし具１を強固に固定した後、右側の左足で履いた長靴１９ｂを靴乗せ部２上に乗せて前後動させる。すると、網状の基部５と左右側部６からなる各泥落とし部に配設した各横線４等に適宜こすり付けて長靴１９ｂの底面や左右の下部側面に付着した泥を順次こすり取り、その泥を例えば１辺が３ｃｍの大きな正方形状の対応位置にある各網目２０を通して落下させることができる。それ故、長靴１９ｂに付着した泥が多量でも取り除き易い。しかも、取り除いた泥が靴乗せ部２上に付着し難く、使用後につまみ部１４を持って運搬する等の取り扱いを簡単に行える。
【００１９】
そして、靴乗せ部２の前端部等に、泥落とし用ブラシ１５が固着されているので、長靴１９ｂを前後動させると、長靴１９ｂの前部２１の周囲面を適宜ブラシ全体に配置された対応位置にある多数の毛１７にこすり付けて、長靴１９ｂの底面、左右の下部側面、上面等に付着した泥を順次擦り取って、落下させることができる。それ故、長靴１９ｂの前部に付着した泥を特に良好に取り除くことができる。又、右側の長靴１９ｂで右踏み部１１ｂを踏んで泥落とし具１を強固に固定した後、左側の長靴１９ａを靴乗せ部２上に乗せ、同様にして付着した泥を良好に取り除くことができる。なお、長靴１９の方向を反対に向けて靴乗せ部２上に乗せ、ブラシ１５にこすり付けると、長靴１９の後部（足のかかと側を覆う部分）に付着した泥をこすり取って、良好に取り除くことができる。
【００２０】
図７は本発明を適用した第２実施形態による靴泥落とし具の斜視図である。この靴泥落とし具２２では、靴泥落とし具１に設けた左右の各踏み部１１の上に、例えば４本の縦線２３と３本の横線２４とが直交した各長方形状の金属網２５(２５ａ、２５ｂ)を夫々追加して固着する。すると、左右の金属網２５を固着した各踏み部１１を夫々泥落とし用踏み部２６(２６ａ、２６ｂ)として使用でき、そこに長靴の底等を夫々こすり付けると簡単な泥落としを行える。
【００２１】
図８は本発明を適用した第３実施形態による靴泥落とし具の背面図である。この泥落とし具２７では、靴泥落とし具１の靴乗せ部２を構成する泥落とし用基部５と左右の各泥落とし用側部６に長靴の底面、左右の各下部側面に向って突出する泥落とし用突部２８、２９(２９ａ、２９ｂ)を夫々設ける。その際、泥落とし用基部５と左右の各泥落とし用側部６の例えば各一部ずつを夫々屈曲させ、或いはほぼ全部を夫々屈曲させて、その基部５と左右の各側部６の中央に靴の前後移動方向とほぼ直交する横方向に最突出箇所を線状に夫々設けるとよい。すると、例えば長靴を靴乗せ部２に乗せて前後動させた時、泥落とし用基部５と左右の各泥落とし用側部６に設けられた各泥落とし用突部２８、２９によって付着した泥を一層簡単にこすり取ることができる。それ故、長靴に付着している泥の付着力が大きくても、その泥を良好に取り除くことができる。なお、靴泥落とし具２２の各泥落とし用踏み部２６にも靴の底面に向って突出する泥落とし用突部３０（３０ａ、３０ｂ）を夫々同様に設けることができる。
【００２２】
上記実施の形態では、靴泥落とし具１、２２、２７に設けた靴乗せ部２と脚部１１とを別部材から製作する場合について説明したが、一枚の連続した長方形状金網を用い、その金網を屈曲等させることによって靴乗せ部と脚部とを同時に一体成形することもできる。なお、この場合はつまみ部を形成後に所定箇所に固着する。
【００２３】
又、上記実施の形態では長靴用の靴泥落とし具１、２２、２７について説明したが、短靴等の他種の靴に対しても、その靴の大きさ、形状等に対応する同様の構造を備えた靴泥落とし具を製作することができ、それを使用すると、各靴の種類に対応した良好な泥落としを行える。
【図面の簡単な説明】
【００２４】
【図１】本発明を適用した第１実施形態による靴泥落とし具の斜視図である。
【図２】同靴泥落とし具の正面図である。
【図３】同靴泥落とし具の背面図である。
【図４】同靴泥落とし具の平面図である。
【図５】同靴泥落とし具に用いる支持用屈曲体の斜視図である。
【図６】同靴泥落とし具の使用状態を示す斜視図である。
【図７】本発明を適用した第２実施形態による靴泥落とし具の斜視図である。
【図８】本発明を適用した第３実施形態による靴泥落とし具の背面図である。
【符号の説明】
【００２５】
１、２２、２７…靴泥落とし具  ２…靴乗せ部  ３、２３…縦線  ４、２４…横線  ５…泥落とし用基部  ６…泥落とし用側部  ７…脚部  ８…支持用屈曲体  ９…前後線中央部  １０…立ち上がり部  １１…踏み部  １３…補強線  １４…つまみ部  １５…ブラシ  １６…芯線  １７…毛  １８…中央穴  １９…長靴  ２０…網目  ２１…長靴の前部  ２５…金属網  ２６…泥落とし用踏み部  ２８、２９、３０…泥落とし用突部
【図１】
2008272281.tif 000003
【図２】
2008272281.tif 000004
【図３】
2008272281.tif 000005
【図４】
2008272281.tif 000006
【図５】
2008272281.tif 000007
【図６】
2008272281.tif 000008
【図７】
2008272281.tif 000009
【図８】
2008272281.tif 000010